(57)【要約】 【課題】発光体を曲線状に配設しつつ、所望の発光を安定して得られる。【解決手段】発光装飾装置１は、屈曲可能な配線基板２３に所定間隔で発光体２１が実装され、各発光体２１に対応して配線基板２３に補強板２４が設けられ、補強板２４・２４相互間に屈曲部２３１が設けられている発光ユニット２を、所要箇所の屈曲部２３１で所要方向に曲げて曲線部分に設けられ、前記曲線部分で発光体２１が曲線状に配設される。【選択図】図４
2005243250.tif 000002
【特許請求の範囲】
【請求項１】
屈曲可能な配線基板に所定間隔で発光体が実装され、各発光体に対応して配線基板に補強板が設けられている発光ユニットが、所要箇所の補強板相互間で配線基板が高さ方向に屈曲され所要方向に曲げられて曲線部分に設けられることにより、該曲線部分に発光体が曲線状に配設されていることを特徴とする発光装飾装置。
【請求項２】
屈曲可能な配線基板に所定間隔で発光体が実装され、各発光体に対応して配線基板に補強板が設けられ、補強板相互間で配線基板が高さ方向に予め屈曲されている発光ユニットが、所要箇所の補強板相互間の屈曲部で所要方向に曲げられて曲線部分に設けられることにより、該曲線部分に発光体が曲線状に配設されていることを特徴とする発光装飾装置。
【請求項３】
凹曲面の反射板の端部に、指向方向を該反射板に向けて発光体が設けられ、発光体の照射光及び反射光を拡散カバーから放出することを特徴とする請求項１又は２記載の発光装飾装置。
【発明の詳細な説明】
【技術分野】
【０００１】
本発明は、発光体が実装される配線基板を曲げて発光体を曲線状に配設する発光装飾装置に関する。
【背景技術】
【０００２】
発光体が実装される配線基板を曲げて発光体を曲線状に配設する発光装飾装置に関連する背景技術に、特許文献１の文字看板がある。特許文献１の文字看板は、直線や曲線形状で構成される文字形状に沿ってＬＥＤを所定間隔で連続配設し、ＬＥＤの照射光を凹曲面の反射板に両端上部から照射し、必要に応じてＬＥＤの向き等を調整して輝度を平均化し、透過性のアクリルカバーから輝度ムラを抑えた面発光を行うものであり、更に、特許文献１には、曲線部分のＬＥＤの取り付けで、曲げが可能な配線基板に予めＬＥＤを実装し、その配線基板を曲げてＬＥＤを曲線状に配設することが開示されている。
【０００３】
【特許文献１】実用新案登録第３０９３３６２号
【発明の開示】
【発明が解決しようとする課題】
【０００４】
ところで、特許文献１の如く、ＬＥＤを曲げが可能な配線基板に予め実装し、その配線基板を曲線部分に合わせながら曲げて取り付ける場合、ＬＥＤの照射方向を安定させることが難しいという課題がある。即ち、所要の曲線部分に沿って配線基板を曲げて取り付ける場合、ＬＥＤの照射方向を一時的に所定方向に向けて調整することは可能であるものの、配線基板が曲げ可能なフレキシブル性を有するため、設置されたＬＥＤの照射方向の安定性を確保することが困難である。そのため、ＬＥＤの照射方向の安定性を確保できる構成が求められている。
【０００５】
本発明は上記課題に鑑み提案するものであって、発光体が実装される配線基板を曲げて発光体を曲線状に配設する発光装飾装置に係り、発光体の照射方向を安定することができる発光装飾装置を提供することを目的とする。
【課題を解決するための手段】
【０００６】
本発明の発光装飾装置は、屈曲可能な配線基板に所定間隔で発光体が実装され、各発光体に対応して配線基板に補強板が設けられている発光ユニットが、所要箇所の補強板相互間で配線基板が高さ方向に屈曲され所要方向に曲げられて曲線部分に設けられることにより、該曲線部分に発光体が曲線状に配設されていることを特徴とする。前記構成では、適宜箇所の補強板相互間の配線基板を高さ方向に予め屈曲しておいてもよい。
【０００７】
また、本発明の発光装飾装置は、屈曲可能な配線基板に所定間隔で発光体が実装され、各発光体に対応して配線基板に補強板が設けられ、補強板相互間で配線基板が高さ方向に予め屈曲されている発光ユニットが、所要箇所の補強板相互間の屈曲部で所要方向に曲げられて曲線部分に設けられることにより、該曲線部分に発光体が曲線状に配設されていることを特徴とする。
【０００８】
更に、本発明の発光装飾装置は、凹曲面の反射板の端部に、指向方向を該反射板に向けて発光体が設けられ、発光体の照射光及び反射光を拡散カバーから放出する構成とすると好適である。尚、本発明には、各発明に他の発明や実施形態の構成を追加したものや、各発明の構成を他の発明や実施形態の構成に変更したものや、各発明の構成を本発明の部分的な効果を奏する限度で削除したものも含まれる。
【発明の効果】
【０００９】
本発明の発光装飾装置は、所要箇所の補強板相互間で配線基板を高さ方向に屈曲して、例えば配線基板の高さ方向・基板面に沿った方向・配線基板を捻る方向など所要方向に曲げることにより、発光体を自在な曲線状に配設することができると共に、発光体の設置箇所は補強板で補強されて曲がりが防止されるので、発光体の照射方向が安定し、望ましい発光を安定して得ることができる。更に、補強板相互間で配線基板が高さ方向に予め屈曲されている発光ユニットを用いることにより、必要に応じて屈曲部で所要方向に曲げるだけで簡単に曲線状の発光体の配設が可能であり、容易な作業で効率的に製造することができる。更に、凹曲面の反射板の端部に、指向方向を該反射板に向けて発光体が設けられ、発光体の照射光及び反射光を拡散カバーから放出する発光装飾装置とすることにより、平均化した輝度ムラの無い発光を行うことができる。
【発明を実施するための最良の形態】
【００１０】
以下では、本発明による発光装飾装置の実施形態について説明する。
【００１１】
本実施形態の発光装飾装置１は、例えば舞台の階段状のセット１０に於ける曲線形状を有する手摺り等に設けられるものであり（図１参照）、図２に示すように、手摺りの形状に沿って長手方向に曲線形状を含む形状に設けられた断面視コ形状の収納部４に、同様に手摺りの形状に沿って長手方向に曲線形状を含む形状に設けられた断面視孤形状の反射板３が収納されており、反射板３は、その凹曲面の頂部の所定箇所にビス５を螺子込まれ、収納部４の底板にビス止めされている。
【００１２】
反射板３の弧状の両端部にはそれぞれ発光ユニット２が設けられており、発光ユニット２は、配線基板２３に積層された補強板２４の内側面に図に省略した両面テープを貼り付けられ、両面テープの他方の面を反射板３の端部近傍の外側面に貼り付けられて設置されている。設置状態の発光ユニット２には、配線基板２３に接続された発光体２１が接続端子２２を介して所定角度で設けられ、反射板２の略頂部に指向方向を向けるように調整され設置されており、図２の発光ユニット２は、後述する図３の各発光体２１を図示のＦ方向へ屈曲して折り返し、指向方向を調整して設置されている。また、発光装飾装置１の曲線部分では、後述するように発光ユニット２を曲げ、その屈曲部２３１の突出側を外側に向けて取り付け、発光体２１が曲線状に配設される構成である。
【００１３】
反射板３及び収納部４の開口側には断面視略弓形状の拡散カバー６が設けられており、拡散カバー６の両端部は係合部で係合する等により、収納部１の側板の上端部近傍にそれぞれ固定されている。拡散カバー６も、手摺りの形状に沿って長手方向に曲線形状を含む形状に設けられ、また、拡散カバー６は、例えば透過率７０％程度の乳白色であり、発光体２１の照射光及び反射板３による反射光を拡散し、均一な面発光を可能にする。尚、拡散カバー６は、断面視略平面形状等としてもよい。
【００１４】
また、発光ユニット２は、図３に示すように、屈曲可能な柔軟性を有する素材に図に省略した配線パターンが形成された配線基板２３を有し、配線基板２３に所定間隔を開けて発光体２１が配設されている。各発光体２１は、その内部に一組の赤（Ｒ）、緑（Ｇ）、青（Ｂ）のＬＥＤが一体的に内設されているものであって、各発光体２１を配線基板２３に接続する四線の接続端子２２はＲ、Ｇ、Ｂの各信号線とプラス側の共通線で構成される。四線の接続端子２２は、発光体２１を所定位置に支持可能であると共に屈曲可能であり、発光体２１は、必要に応じて接続端子２２の屈曲で指向方向を所要方向へ調整され支持される。また、四線の接続端子２２は配線パターンを介して各基板端子２３２に接続され、四つの基板端子２３２は他の発光ユニット２の四つの基板端子２３２と半田接続される。
【００１５】
配線基板２３には、発光体２１の接続端子２２の設置側と逆側の面に、長方形の補強板２４が各発光体２１に対応し配線基板２３に沿って貼設されており、接続端子２２の設置箇所の配線基板２３が平らな状態を維持できるように補強板２４で屈曲不能にしている。更に、配線基板２３には、補強板２４・２４相互間の補強板２４を有しない箇所に高さ方向に山形に屈曲された屈曲部２３１が予め形成され、屈曲部２３１で配線基板２３の面内に沿う上下方向（図４（ａ）参照）、或いは屈曲部２３１の凹み側（図４（ｂ）参照）や突出側、或いは配線基板２３を若干捻る方向等へ配線基板２３を曲げることが可能となっており、所要箇所の屈曲部２３１で必要な方向に配線基板２３を屈曲し、所要の曲線形状或いは曲線形状を含む形状の発光ユニット２が得ることができる。
【００１６】
上記実施形態の発光装飾装置１は、補強板２４・２４相互間の屈曲部２３１で必要に応じて配線基板２３を曲げることにより、発光体２１を所要の曲線状に配設することができ、また、発光体２１を支持する接続端子２２の配線基板２３に於ける設置箇所は、補強板２４で補強され曲がりを防止されるので、発望ましい面発光を安定して得ることができる。
【００１７】
尚、上記実施形態の発光装飾装置１の変形例として、例えば図５に示すように、反射板２３の弧状の両端部の内側面に発光ユニット２を設ける構成としてもよい。即ち、発光体２１が接続端子２２を介して接続されている配線基板２３に補強板２４を積層して設ける発光ユニット２において、配線基板２３の屈曲部２３１の突出側を内方に向けて配置し、補強板２４の外側面に図に省略した両面テープを貼り付け、両面テープの他方の面を反射板３の端部近傍の内側面に貼り付けて設置し、発光体２１の照射方向を反射板３の略頂部に調整して設けるようにしてもよい。
【産業上の利用可能性】
【００１８】
本発明の発光装飾装置は、例えば発光する舞台セットや看板等に利用することができる。
【図面の簡単な説明】
【００１９】
【図１】本発明に於ける実施形態の発光装飾装置を示す説明図。
【図２】本発明に於ける実施形態の発光装飾装置を示す縦断面図。
【図３】（ａ）は発光ユニットの平面図、（ｂ）は発光ユニットの正面図。
【図４】（ａ）は配線基板を配線基板の面内に沿う方向に曲げた状態を示す説明図、（ｂ）は配線基板を屈曲部の凹み側に曲げた状態を示す説明図。
【図５】反射板への発光ユニットの設置構成の変形例を示す部分縦断面図。
【符号の説明】
【００２０】
１  発光装飾装置
２  発光ユニット
２１  発光体
２２  接続端子
２３  配線基板
２３１  屈曲部
２３２  基板端子
２４  補強板
３  反射板
４  収納部
５  ビス
６  拡散カバー
１０  セット
【図１】
2005243250.tif 000003
【図２】
2005243250.tif 000004
【図３】
2005243250.tif 000005
【図４】
2005243250.tif 000006
【図５】
2005243250.tif 000007